(57)【特許請求の範囲】
【請求項１】
コップへの自動給水機構を備えた歯科治療装置におけるスピットン洗浄装置において，
センサによりコップ載置を検出するコップ載置検出部と，該コップ載置検出部の検出出力により給水を開始して一定量の給水制御を行うコップ給水制御部と，スピットン洗浄の給水制御を行うスピットン洗浄制御部とを備え，
前記スピットン洗浄制御部は，前記コップ給水制御部による給水が終了したことを検知するとスピットン洗浄の給水を開始して一定時間だけ洗浄水を流出する制御を行い、かつスピットン洗浄中にうがいが終了したコップが載置されてコップ給水が開始すると，コップ給水中の信号によりスピットン洗浄の給水を中断してコップ給水を優先する制御を行うものであることを特徴とするスピットン洗浄装置。
【請求項２】
コップへの自動給水機構を備えた歯科治療装置におけるスピットン洗浄装置において，
給水管のコップへの給水口までの間に所定間隔をおいて配置され，各間隔毎の水の電気抵抗を検出する第１の電極と給水口にコップへ落下供給される水液により形成される水柱の電気抵抗を検出する第２の電極を備え，
センサによりコップ載置を検出するコップ載置検出部と，前記第１の電極により検出した複数の電気抵抗値を発生する水質に対応した基準電圧と第２の電極により検出した電気抵抗値に対応する電圧を用いて水量検出を行うコップ水量検出制御部と，スピットン洗浄の給水制御を行うスピットン洗浄制御部とを備え，
前記スピットン洗浄制御部は，前記コップ給水制御部による給水が終了したことを検知するとスピットン洗浄の給水を開始して一定時間だけ洗浄水を流出する制御を行い、かつスピットン洗浄中にうがいが終了したコップが載置されてコップ給水が開始すると，コップ給水中の信号によりスピットン洗浄の給水を中断してコップ給水を優先する制御を行うものであることを特徴とするスピットン洗浄装置。
【発明の詳細な説明】
【０００１】
【産業上の利用分野】
本発明は歯科治療装置に設けられたスピットン洗浄装置に関する。
歯科治療装置には患者が口中をうがいした水を受けて排出するスピットンが設けられている。このスピットンは患者がうがいすると汚れるため，洗浄水により洗浄する必要があるが，うがい用のコップへの自動給水とスピットン内の洗浄のための給水がバランス良く行うことことが望まれている。
【０００２】
【従来の技術】
図７，図８は従来の歯科治療装置の構成を示し，図７は側面図，図８は上面図である。両図中，１はうがい用の水を給水する給水筒，２はうがい後の水を集めて排出するスピットン，５はスピットン内を洗浄する水を排出するスピットン洗いパイプ，４は手動操作用のコック，６は診療椅子，Ｋはうがい用のコップである。
【０００３】
スピットン２は患者が口中のうがいを行う必要上，歯科治療装置の診療椅子６の脇に設置され，その周辺部にスピットン２内の周辺に向けて出口を有するスピットン洗いパイプ５を備えている。以前は，患者がうがいした後，スピットンの洗浄を行う時に医師が手動操作用のコック４を操作することによりスピットン２内に洗浄水を流して洗浄する構造になっていた。
【０００４】
しかし，この構造では医師が手動操作用のコック４に手を触れなければならないため，口中を施術する関係から非衛生になることが避けられない。
これを改善する方法として，患者がうがいを終了してコップＫを受け皿に戻すと，自動的にコップＫに対し給水筒１から給水を開始し，これと同時にスピットン洗いパイプ５から洗浄水を一定量流して，スピットン２内を洗浄する方法が採用されている。
【０００５】
【発明が解決しようとする課題】
上記の改善された方法によれば，医師はその都度装置に手を触れることがないので，衛生的であるが，コップに給水する水量と，スピットン内洗浄の水量が同時に必要となる。しかし，歯科治療装置における供給水源には限りがあり，同じ水源から同時にコップへの給水とスピットン洗いの給水を行うと，何れか一方に水量が偏って，放出水量にアンバランスを生じることは避けられなかった。
【０００６】
この場合，スピットン内の洗浄が不充分であると衛生上の問題が生じ，コップへの給水が少ないと一定水量が溜めるまでに時間がかかるという問題があった。
本発明は供給水源の容量が比較的小容量でもコップへの給水とスピットン内の洗浄のための給水をそれぞれ充分な水量を確保しつつ自動的に行うことが可能なスピットン洗浄装置を実現することを目的とする。
【０００７】
【課題を解決するための手段】
上記課題は，以下に記載する本発明によって解決される。
（１）コップへの自動給水機構を備えた歯科治療装置におけるスピットン洗浄装置において，
センサによりコップ載置を検出するコップ載置検出部と，該コップ載置検出部の検出出力により給水を開始して一定量の給水制御を行うコップ給水制御部と，スピットン洗浄の給水制御を行うスピットン洗浄制御部とを備え，
前記スピットン洗浄制御部は，前記コップ給水制御部による給水が終了したことを検知するとスピットン洗浄の給水を開始して一定時間だけ洗浄水を流出する制御を行い、かつスピットン洗浄中にうがいが終了したコップが載置されてコップ給水が開始すると，コップ給水中の信号によりスピットン洗浄の給水を中断してコップ給水を優先する制御を行うものであることを特徴とするスピットン洗浄装置。
【０００８】
（２）コップへの自動給水機構を備えた歯科治療装置におけるスピットン洗浄装置において，
給水管のコップへの給水口までの間に所定間隔をおいて配置され，各間隔毎の水の電気抵抗を検出する第１の電極と給水口にコップへ落下供給される水液により形成される水柱の電気抵抗を検出する第２の電極を備え，
センサによりコップ載置を検出するコップ載置検出部と，前記第１の電極により検出した複数の電気抵抗値を発生する水質に対応した基準電圧と第２の電極により検出した電気抵抗値に対応する電圧を用いて水量検出を行うコップ水量検出制御部と，スピットン洗浄の給水制御を行うスピットン洗浄制御部とを備え，
前記スピットン洗浄制御部は，前記コップ給水制御部による給水が終了したことを検知するとスピットン洗浄の給水を開始して一定時間だけ洗浄水を流出する制御を行い、かつスピットン洗浄中にうがいが終了したコップが載置されてコップ給水が開始すると，コップ給水中の信号によりスピットン洗浄の給水を中断してコップ給水を優先する制御を行うものであることを特徴とするスピットン洗浄装置。
【０００９】
本発明の基本構成は，図１に示すごときものである。
図１において，１０はコップ載置検出部，１１はコップ給水制御部，１２はコップ給水駆動部，１３はスピットン洗浄制御部，１４は洗浄給水駆動部である。  なお，以下の説明において，「水」という用語には，殺菌剤，芳香剤，消毒剤等を含む「液」を含む。
本発明はコップへの給水とスピットン内への給水を全電子化した制御回路を用い，コップが有る場合はコップ内へ常時一定量の給水を行って，その後に一定時間洗浄水を流出して洗浄を行うものである。
【００１０】
【作用】
コップ載置検出部１０はコップが受け皿に載置されると検出信号を発生してコップ給水制御部１１が動作する。コップ給水制御部１１は水量を検出して一定量以下の場合はコップ給水駆動部１２を駆動する制御信号を出力し，一定量の水がコップに溜まるとこれを検出してコップ給水駆動部１２に対する駆動信号を停止する制御を行う。コップ給水駆動部１２は，コップ給水制御部１１から発生する駆動信号により駆動されるとコップへの給水路の給水弁を開いて給水を行い，駆動信号が停止すると給水弁を閉じてコップへの給水を止める。
【００１１】
一方，スピットン洗浄制御部１３は，コップ給水制御部１１から発生するコップ給水の駆動状態（駆動状態又は停止状態）を表す信号を受け取って制御を行い，コップ給水制御部１２がコップ給水の駆動を行っている時は洗浄給水駆動部１４を駆動しないが，コップ給水が停止した状態を表す信号が入力すると洗浄給水を開始させる駆動信号を予め設定された一定時間だけ発生する。この駆動信号はスピットン内を洗浄する洗浄水の給水路の給水弁を開いてスピットン内を洗浄し，一定時間後に駆動信号が停止して給水弁が閉じられる。
【００１２】
このように，コップへの給水を行ってその後にスピットン内の洗浄水が給水されるので，給配水が時系列的となり同時に大量の水量を必要としない。但し，スピットン内の洗浄を行っている時に，コップ載置部１０でコップの載置を検出すると，コップ給水制御部１１が起動されて，コップ給水駆動部１２を駆動すると，スピットン洗浄制御部１３は直ちに洗浄給水駆動部１４の駆動を停止し，コップへの給水を優先して実行させる。
【００１３】
【実施例】
上記の原理構成に基づいて，以下に本発明の実施例の構成を説明する。
但し，この実施例ではコップへの給水の制御を行う自動給水装置として先に本出願人が提案した自動給液装置（特願平５−３１２８６１号）の技術を用いているが，コップへの自動給水はこの実施例に限定されるものではなく，他の原理による給水（液）装置に対しても利用できることは明らかである。
【００１４】
図２は本発明が実施される歯科治療装置のコップへの自動給水装置の給水部説明図である。図３は本発明が実施される歯科治療装置のコップ給水の給水筒の側面図である。
図４，図５は本発明の実施例の制御回路（その１），（その２）であり，図４には主にコップ給水の制御回路が示され，図５はスピットン洗浄の制御回路が示されている。また，図６は水量調整部と水量検出部の電気的接続関係を示す等価回路図である。
【００１５】
図２において，４０ＭΩ程度の絶縁抵抗を有するプラスチック管等で構成する給水管３であり，水の供給源からコップＫに水（うがい水や他の芳香剤入の液体を含む）を供給する。この給水管の途中に電磁弁ＳＶ１があり，この弁を開閉することにより，コップＫへの給水量を調節し，常時一定量のうがい用水をコップＫに供給する。
【００１６】
電磁弁ＳＶ１を出た給水管３の途中に所定の間隔をおいて電極Ｔ１〜Ｔ４が設けられ，各電極にはそれぞれ▲１▼〜▲４▼で示す導線が接続され，それぞれ後述する図３に示す制御回路の同じ符号で示す部分に接続される。そして，電極Ｔ２・Ｔ３間の電気抵抗値（ＲＡとする）と電極Ｔ３・Ｔ４間の電気抵抗値（ＲＢとする）及び電極Ｔ１・Ｔ２間の電気抵抗値（ＲＣとする）に基づいて発生する電圧を基準電圧として後述する水量検出部３６のコンパレータＣＯＭＰの一方の入力に導き，給水量を水質（液質）の差による電気抵抗値の偏差に拘わらず，常時一定量の液量をコップに給水するように補償する。
【００１７】
電極Ｔ４からコップ側へ向かう給水管３は２股の給水管３ａ，３ｂに分かれ，一方の給水管３ａの先端には電極Ｔ５，そして他方の給水管３ｂの先端には電極Ｔ６が設けられ，各電極Ｔ５及び電極Ｔ６に接続する導線▲５▼，▲６▼もそれぞれ後述する図４の制御回路の同じ符号で示す位置に接続され，この２つの電極を用いて給水管より噴出する水柱の電気抵抗値ＲＺを検出し，後述する水量検出部３６のコンパレータＣＯＭＰの他方の入力に導かれている。また，電極Ｔ４，Ｔ６に接続する▲４▼，▲６▼の間の液の電気抵抗値（ＲＤとする）が検出されて，水量検出に利用される。
【００１８】
図３はコップ給水部の給水筒１の側面を示しており，受皿Ｔ上にはコップＫが載置され，コップＫの直上にはアームによって導かれる２股給水管（図２の３ａ，３ｂ）が現出していて，それぞれの先端から給水が行われる。
給水筒１のアームの基部には，赤外線発光ダイオードＬＥＤが斜上方に向けて取付けられており，その光軸の先端部には光集積回路ＩＣｐが取り付けられ，コップが載置されるとその光軸がコップＫの一部により遮断され，コップＫが受皿Ｔ上に載置されたことを検知する。
【００１９】
図４，図５の制御回路を説明する。図４と図５はＡ，Ｂ，Ｃで示す引き出し線により相互に電気的に接続されている。
交流電源は図４の端子１３，１４に印加され，整流回路ＲＥＣを含む直流電源部３１において直流に整流される。この直流出力がＤＣ１２Ｖ安定化部３２に供給されて本実施例の電子回路を駆動するＤＣ１２Ｖ安定化電源を発生する。
【００２０】
また，交流電源は図４の端子１３’，１４’を持つ駆動部３８にも印加され，この回路は電磁弁ＳＶ１と，リレーＲＬのメーク接点ｒｌ１とが直列に接続された交流回路を構成し，メーク接点ｒｌ１のオン，オフにより電磁弁ＳＶ１が駆動・停止を行ってコップＫへの給水が制御される。更に，交流電源は図５のスピットン洗浄の制御回路の端子１３”，１４”に印加される。この回路は電磁弁ＳＶ２とリレーＲＹのメーク接点ｒｙとが直列に接続された交流回路を構成し，メーク接点ｒｙのオン・オフにより電磁弁ＳＶ２が駆動・停止を行ってスピットンへ洗浄水の給水が制御される。
【００２１】
図４のトランジスタＱ１，赤外線発光ダイオードＬＥＤ，光集積回路ＩＣｐ並びに抵抗Ｒ１〜Ｒ６によりコップ検出部３３が形成される。
光集積回路ＩＣｐは，内蔵する発振器により約１０ＫＨＺ程度の発振が行われ，出力が抵抗Ｒ１，Ｒ２に出力し，その分圧出力がトランジスタＱ１のベースに入力するから，トランジスタＱ１は約１０ＫＨＺで断続するので，抵抗Ｒ３を介して接続されている赤外線発光ダイオードＬＥＤは，トランジスタＱ１の断続に応じて点滅する。
【００２２】
この赤外線が光集積回路ＩＣｐ  の検出素子に入力すると，他の出力端子に設けられた回路接続部３４を構成する抵抗Ｒ５，Ｒ６が短絡されるので，トランジスタＱ２のベース入力が無くなり，トランジスタＱ２は導通せず，以後の水量調節部等の各回路への給電が断たれる。
【００２３】
図３に示すように，受皿Ｔ上にコップＫが載置されると，コップが赤外光の光路を断つので，図４の光集積回路ＩＣｐには赤外光が入光せず，そのために他方の出力端子に設けられた回路接続部３４の抵抗Ｒ５，Ｒ６の短絡を解除する。
これにより抵抗Ｒ５，Ｒ６の分圧電圧がトランジスタＱ２のベースに入力して導通するから，図４の水量調節部３５等への給電及び図５の回路への給電が行われ，コップＫに給水が開始される。
【００２４】
通常フオトカップラは，外来光からの影響を避けるために遮光を施して使用するものであるが，本発明の場合は，歯科治療装置における自動給水装置として使用するため，遮光等の手段が採用できない。
そのため，図３に示すように赤外線発光ダイオードＬＥＤは給水筒１の基部に斜上方に向けて取付け，赤外線も斜上方に向けて発光し，これに対向する給水筒１の項部アーム部に図４の光集積回路ＩＣｐが斜下方に向けて取り付けられ，発光した赤外線を受光する構成となっている。
【００２５】
現実社会においては，外来光が斜下方より入光する機会は極めて少ないので，上記した構成とすることにより，特別に外来光の影響を排除する遮光を用いることなく，コップの検出が可能である。
【００２６】
図４の集積回路ＩＣ１，可変抵抗ＶＲ１，抵抗Ｒ７により水量調節部３５を構成し，可変抵抗ＶＲ１は，コップの給水部の操作し易い個所に設置され，集積回路ＩＣ１の出力電圧を可変して，医師がコップＫ中に供給される給水量を調節することができる。
【００２７】
図４の抵抗Ｒ８〜Ｒ１０及び▲１▼〜▲６▼の導線から検出される信号，コンデンサＣ３，ダイオードＤ１及びコンパレータＣＯＭＰにより水量検出部３６を構成してコップＫに給水される給水量の検出が行われる。▲１▼〜▲６▼の導線は，上記図１の各電極Ｔ１〜Ｔ６に接続され，各電極は上記回路接続部３４が給電を行うことによりそれぞれ，図３の各接続位置で図１に示す各区間の水流の長さや，水質（液質）に応じた電気抵抗値（ＲＡ〜ＲＤ）に比例する電圧を発生する。
【００２８】
図６に示す水量調節部３５と電極を含む水量検出部３６の等価回路において，抵抗ＲＡは図１の電極Ｔ２と電極Ｔ３の間，抵抗ＲＢは図２の電極Ｔ３電極Ｔ４の間，抵抗ＲＣは図２の電極Ｔ１と電極Ｔ２の間の各電気抵抗値を表す。
この３つの抵抗ＲＡ，ＲＢ，ＲＣは，図６に示すようにπ型を成して接続されており，抵抗ＲＡ・ＲＣの接続点には液量調節用の可変電圧が印加され，抵抗ＲＡ，ＲＢの接続点はコンパレータＣＯＭＰの一方の入力へ基準電圧として入力されている。
【００２９】
ＲＺは電極Ｔ５と電極Ｔ６にて検出され，コップＫ中に供給されるうがい用水を介して形成される水柱の導電回路の電気抵抗値を表し，コップＫに水が溜まっていない時は抵抗値が無限大であるが，満水に近づくと急激に抵抗値が低下する。
この抵抗ＲＺを通る電流は，コンデンサＣ３と並行に設けられた電極Ｔ６とＴ４の間の抵抗ＲＤを通って流れる。従って，抵抗ＲＺ（水柱の抵抗）の抵抗値に対応して発生する電圧は抵抗ＲＤを通ることにより水質による変動を補償することができる。
【００３０】
抵抗ＲＡ，ＲＢの接続点で発生する基準電圧は，水質（液質）の差により液の電気抵抗値が変化しても，コップＫを介して計測される液柱の電気抵抗値ＲＺとコンパレータＣＯＭＰにおいて相対比較されるので，相互にその偏差が相殺され，可変抵抗ＶＲ１によって設置された規定の給水量が，コップＫ中に常時供給されることになる。
【００３１】
集積回路ＩＣ２と，抵抗Ｒ１１〜Ｒ１４，コンデンサＣ１，Ｃ２，トランジスタＱ３，リレーＲＬ及び光ダイオードＰＤの回路により水量制御部３７を構成する。この水量制御部３７は，給水コンパレータＣＯＭＰからの適性水量信号（ｂで示す）を受けて，電磁弁の開閉制御信号を発生し，コップＫへの給水を制御すると共に，光ダイオードＰＤは，スピットン洗浄の制御回路（図５）へ給水中であることを表す信号を伝送する。
【００３２】
この水量制御部３７には，給水部に異常が生じた場合，タイミングを計って集積回路ＩＣ２の動作を停止し，給水部分が水浸しになることを防ぐための保安機能を持たせてある。
【００３３】
図４の抵抗Ｒ１０は集積回路ＩＣ２をスタート・ストップさせるための入力信号を発生する回路の一つであって，スタート時にはコンパレータＣＯＭＰの出力と共に，高電位を集積回路ＩＣ２に供給し，その信号を受けて集積回路ＩＣ２は，動作を開始する。コンパレータＣＯＭＰが適正設定液量に達したことを検知すると，その出力が反転し，集積回路ＩＣ２には低電位が入力するので，集積回路ＩＣ２はこの信号を受けてその動作を停止する。
【００３４】
抵抗Ｒ１３，Ｒ１４並びにコンデンサＣ１，Ｃ２により構成される夫々の回路は，何れも時定数回路であり，抵抗Ｒ１３とコンデンサＣ１は，トランジスタＱ２が導通し給水が開始された直後は，零電位を集積回路ＩＣ２に供給し，その後は時間と共に供給電位が上昇して定格電圧の２／３に達すると，集積回路ＩＣ２の駆動を停止する保安機能を果たすものである。この時定数は，コップＫへの給水完了時間より若干長い時定数を選択しておく必要がある。
【００３５】
一旦停止した集積回路ＩＣ２は，その後トランジスタＱ２を一旦断，換言すればコップＫが取り上げられてうがいを行って，コンデンサＣ１，Ｃ２を放電させなければ，集積回路ＩＣ２は再駆動しない。なお，抵抗Ｒ１４とコンデンサＣ２の回路は，トリガーゲート回路となっており，集積回路ＩＣ２の駆動スタート信号を構成している。
【００３６】
集積回路ＩＣ２が駆動されると，抵抗Ｒ１１，Ｒ１２上に出力が発生し，その分圧電圧がトランジスタＱ３のベースに入力するので導通し，トランジスタＱ３と直列に接続されているリレーＲＬが駆動される。これと同時に光ダイオードＰＤとコンデンサＣ４の並列回路に電圧が印加される。
【００３７】
リレーＲＬが駆動されると，そのメーク接点ｒｌ１が閉じるので電磁弁ＳＶ１が動作し，コップＫに給水を開始する。一方，ダイオードＰＤは，これと並列に接続されたコンデンサＣ４に電荷が蓄積されていないので，光ダイオードＰＤは短絡状態となり直ちには発光しない。
【００３８】
抵抗Ｒ１５を通じてコンデンサＣ４に充電されるに従い，その端子電圧が上昇するので光ダイオードＰＤは遅れて発光を開始する。この光は図５に示すスピットン洗浄の制御回路の光トランジスタＰＴに入光し，これを導通させて集積回路ＩＣ３に低電位を供給し，その駆動を抑制する。
【００３９】
図５のスピットン洗浄の制御回路では，コップ給水のリレーＲＬの第２のトランスファー接点ｒｌ２がメーク側に接続し，抵抗Ｒ２１を介してコンデンサＣ１０への充電を開始しており，集積回路ＩＣ３にはスタート信号が入力していないので，集積回路ＩＣ３は駆動せず待機状態になっている。
【００４０】
コップＫへの給水が完了すると，トランジスタＱ３が非導通となり，リレーＲＬが復旧するので，電磁弁ＳＶ１が停止し，給水が止められる。また，光ダイオードＰＤも駆動信号が停止するが，コンデンサＣ４の放電により一定時間後まで発光し，その後発光を停止して，光トランジスタＰＴへの入光が止まる。
【００４１】
集積回路ＩＣ３は，光トランジスタＰＴの入光により，抵抗Ｒ２７による駆動信号が抑えられていたのが，その信号が無くなることにより駆動を開始すると共に，リレーＲＬも復旧してその接点ｒｌ２もブレーク側に復帰し，コンデンサＣ１０に蓄積されていた電荷が抵抗Ｒ２２，Ｒ２３を介して放電を開始する。
【００４２】
この放電電圧が抵抗Ｒ２２，Ｒ２３を介して，トランジスタＱ４のベースに入力するので，トランジスタＱ４は導通し，集積回路ＩＣ３へトリガーゲート信号として供給され，集積回路ＩＣ３が駆動を開始する。
集積回路ＩＣ３が駆動されると，その出力が抵抗Ｒ２５，Ｒ２６に出現し，トランジスタＱ５を導通させるので，これと直列接続するリレーＲＹが駆動され，そのメーク接点ｒｙが閉じ，電磁弁ＳＶ２が端子１３”，１４”の交流電源を受けて駆動され，スピットン洗いパイプ５（図７，図８参照）より洗浄水をスピットン２内に向けて放出する。
【００４３】
コンデンサＣ１０と抵抗Ｒ２２，Ｒ２３とで構成する時定数回路は，一定時間経過後にトランジスタＱ４を非導通とし，集積回路ＩＣ３の駆動を止めるので，リレーＲＹは復旧し，スピットン洗浄水の流出を止める。
従って，スピットン内洗浄のための水量は，コンデンサＣ１０，抵抗Ｒ２２，Ｒ２３の回路定数を適宜選択することにより，その流出時間を調節して水量を決定できる。
【００４４】
スピットン洗浄中に患者がコップＫを取上げてうがいを開始しても，そのまま一定時間はスピットン内洗浄が継続されるが，この時うがいを終了してコップＫを受皿Ｔ（図３）上に戻すと，コップ検出部３３がこれを検出し，コップＫ内に給水を開始すると同時にトランジスタＱ３が動作して光ダイオードＰＤの光が光トランジスタＰＴへ入力し，集積回路ＩＣ３の駆動を停止させる。
【００４５】
一方のスタート信号であるトリガゲート信号は，リレーＲＬの動作による接点ｒｌ２がメーク側に接触してコンデンサＣ１０に充電を開始するので，トリガーゲート信号が断たれて，集積回路ＩＣ３の駆動を止め，リレーＲＹを復旧させてスピットン内洗浄を一時中断し，コップ給水を優先させる。
【００４６】
本実施例の動作を図４乃至図６の回路に基づいて他の各図を参照しながら説明する。
歯科治療装置において，患者がコップＫを取り上げてうがいを行うとき，コップＫが受皿Ｔ上に無いため，赤外線発光ダイオードＬＥＤと光集積回路ＩＣｐ  との間にはその受光を妨げるコップＫが無いので，断続赤外光が光集積回路ＩＣｐに受光されるので，その出力部の抵抗Ｒ５とＲ６を短絡し，トランジスタＱ２が非導通になるから，以降の回路には給電されず，給水が行われない。
【００４７】
コップＫが受皿Ｔ上に載置されると，光集積回路ＩＣｐの入力が無くなり，その出力部の抵抗Ｒ５，Ｒ６に電圧が発生するのでトランジスタＱ２が導通となり，給電が開始される。
【００４８】
コップの水量調節用の可変抵抗ＶＲ１を介して供給される電圧が，上記した各電極間の抵抗ＲＡ，ＲＢ，ＲＣで構成する回路に入力すると基準電圧が発生し，コンパレータＣＯＭＰの一方の入力に供給される。他方の入力にはコップＫを介して計測された水柱の可変抵抗ＲＺの抵抗値（抵抗ＲＤの抵抗値との相対値）に対応する電圧が供給されるが，最初はコップＫ中にはうがい用水が無いので計測電気抵抗値は無限大であるから，コンパレータＣＯＭＰは高電位を出力して集積回路ＩＣ２に入力するので，集積回路ＩＣ２は抵抗Ｒ１１，Ｒ１２に出力を発生する。
【００４９】
この分圧電圧がトランジスタＱ３に入力するので，トランジスタＱ３は導通し，これと直列に接続されているリレーＲＬと光ダイオードＰＤを駆動させ，そのメーク接点ｒｌ１が閉じるので電磁弁ＳＶ１が動作してコップに給水を開始する。
コップＫ内にうがい用水が供給されるに従って，計測された水柱の可変抵抗ＲＺが急激に減少し，コンパレータＣＯＭＰへの入力が上昇し，基準電圧の入力電圧と同一になった時，コンパレータＣＯＭＰの出力が反転して低電位を出力するので，集積回路ＩＣ２の駆動が止まる。
【００５０】
集積回路ＩＣ２が停止すると，トランジスタＱ３も非導通となり，リレーＲＬを復旧させるのでメーク接点ｒｌ１は開となり電磁弁ＳＶ１の動作を止めて給水を停止する。この状態で患者の次のうがいを行わせるために，満水となったコップＫは待機している。
【００５１】
上記のトランジスタＱ３が導通した時，一定時間後に光ダイオードＰＤが発光して，光トランジスタＰＴへ入光し，集積回路ＩＣ３の駆動を抑制してスピットン洗浄の待機となる。
その一方で，リレーＲＬが動作してその第２の接点ｒｌ２が切換えられ，抵抗Ｒ２１を介してコンデンサＣ１０の充電が開始しているが，集積回路ＩＣ３へのトリガゲート回路（トランジスタＱ４のエミッタ側の出力）が構成されていないので集積回路ＩＣ３は駆動されない。
【００５２】
コップＫへの給水が完了し，集積回路ＩＣ２の駆動が停止すると，トランジスタＱ３が非導通となり，給水が停止されると共に，光ダイオードＰＤの発光が止むので，光トランジスタＰＴの入力が無くなって集積回路ＩＣ３の駆動の抑制を解除する。また，同時にリレーＲＬが復旧するので，その接点ｒｌ２が復旧するため，コンデンサＣ１０に蓄積された電荷が，抵抗Ｒ２２，Ｒ２３を通して放電を開始する。
【００５３】
この電圧がトランジスタＱ４を導通させて集積回路ＩＣ３にトリガゲート信号として入力するので集積回路ＩＣ３が駆動する。
集積回路ＩＣ３が駆動されると，その出力が抵抗Ｒ２５，Ｒ２６に出現してトランジスタＱ５を導通させ，これと直列に接続されたリレーＲＹを動作させる。これにより，そのメーク接点ｒｙが閉じて，電磁弁ＳＶ２を動作させ，スピットン内にスピットン洗いパイプを通した洗浄水を流出させて洗浄を行う。
【００５４】
リレーＲＹが動作した後，コンデンサＣ１０に蓄積された電荷の放電が一定時間後に減少すると，集積回路ＩＣ３はトリガゲート信号が低下するためその動作を停止し，トランジスタＱ５を非導通としてリレーＲＹを復旧させ，電磁弁ＳＶ２を停止させ洗浄水を止める。
【００５５】
以上に実施例として説明したように，図２〜図６に示したスピットン洗浄装置を用いることにより，全電子化された制御回路により，水質の差による水の電気抵抗値の偏差を補償した給水機能を持つコップへの自動給水と共に給水機能と時系列に動作するスピットン洗浄を行うスピットン洗浄装置が実現できた。
【００５６】
本実施例ではコップへの自動給水のための水量検出・制御を，水（液）の電気抵抗値を検知する技術を採用している場合の例について示したが，他の従来公知の方法により水量検出・制御を行う自動給水装置に対しても本発明のスピットン洗浄の技術を適用できることはいうまでもない。その場合，コップへの給水動作を行っている時は，スピットン洗浄の駆動を待機して，給水動作が終了するとスピットンの洗浄のための給水を一定時間行う構成となる。
【００５７】
【発明の効果】
以上に実施例として詳述したように，本発明に係るスピットン洗浄装置には以下のような種々の利点がある。
医師がその都度洗浄のための操作を繰り返す必要がなく，コップへの給水終了後に自動的に洗浄が行われるので，極めて衛生的であると共に，コップ給水とスピットン洗浄が時系列的に行われるので給水水源を小型にすることができる。
給水部分には機構部品が無くなるので，給水部分の小型軽量化を実現でき，保守が容易となる。
そして、スピットン内の洗浄を行っているときに、うがいが終了したコップをコップ載置部に置くとコップ給水制御部が起動され、その信号によりスピットン洗浄制御部は直ちに駆動を停止し洗浄を中止して、コップへの給水を優先して実行させるので、常に給水されたコップが用意される。
【００５８】
更に，本発明のスピットン洗浄装置は全電子回路であるから，その製作に際して，パーツインサータ等の自動化装置を用いて組立配線が行えるので，コストダウンが可能で，加えてパッケージタイプに組立てれば，事故が発生した時にも交換等により速やかに対応することができる。
【図面の簡単な説明】
【図１】本発明の原理構成図である。
【図２】本発明が実施される歯科治療装置の給水部の説明図である。
【図３】本発明が実施される歯科治療装置の給水筒の側面図である。
【図４】本発明の実施例の制御回路図（その１）である。
【図５】本発明の実施例の制御回路図（その２）である。
【図６】水量調整部と水量検出部の電気的接続関係を示す等価回路図である。
【図７】従来の歯科治療装置の側面図である。
【図８】従来の歯科治療装置の上面図である。
【符号の説明】
１：給水筒
２：スピットン
３：給水管
４：コック
５：スピットン洗いパイプ
６：診療椅子
１０：  コップ載置検出部
１１：  コップ給水制御部
１２：  コップ給水駆動部
１３：  スピットン洗浄制御部
１４：  洗浄給水駆動部
Ｋ  ：  コップ
ＳＶ１〜ＳＶ２：  電磁弁
Ｔ１  〜Ｔ６：  電極
ＲＡ  〜ＲＣ：  各電極間の等価抵抗
ＲＺ  ：  水柱の等価抵抗
▲１▼〜▲６▼：  導線
【図１】
0003644043.tif 000002
【図２】
0003644043.tif 000003
【図３】
0003644043.tif 000004
【図４】
0003644043.tif 000005
【図５】
0003644043.tif 000006
【図６】
0003644043.tif 000007
【図７】
0003644043.tif 000008
【図８】
0003644043.tif 000009